(57)【要約】【課題】  煩わしさをなくして自動調整を行なう表示装置を提供する。【解決手段】  表示装置１０において、測距センサ８は、表示装置１０とスクリーンとの間の距離を検出し、その検出した距離をマイコン５へ出力する。マイコン５は、測距センサ８からの距離が一定時間、略一定であるとき、表示装置１０の設置が完了したと判定し、焦点調整、台形歪補正および壁色補正を行なう。【選択図】        図１
2006287294.tif 000002
【特許請求の範囲】
【請求項１】
入力映像信号に基づいて形成された液晶パネル上の画像を前記液晶パネルへの照射光に基づいてスクリーン上に拡大表示する表示装置であって、
当該表示装置の設置が完了したか否かを判定する設置判定手段と、
前記設置判定手段から前記設置が完了したことを示す設置完了信号を受けると、当該表示装置の自動調整を行なう調整手段とを備える表示装置。
【請求項２】
前記設置判定手段は、前記スクリーンまでの距離が所定の時間、略一定であることを検出することにより前記設置が完了したと判定する、請求項１に記載の表示装置。
【請求項３】
前記設置判定手段は、当該表示装置に印加される加速度が所定の時間、略一定であることを検出することにより前記設置が完了したと判定する、請求項１に記載の表示装置。
【請求項４】
前記設置判定手段は、当該表示装置の裏面に設けられたスイッチが押下されたことを検出することにより前記設置が完了したと判定する、請求項１に記載の表示装置。
【請求項５】
前記設置判定手段は、第１から第３の条件の少なくとも２つの条件が成立したとき、前記設置が完了したと判定し、
前記第１の条件は、前記スクリーンまでの距離が所定の時間、略一定であることを検出することであり、
前記第２の条件は、当該表示装置に印加される加速度が所定の時間、略一定であることを検出することであり、
前記第３の条件は、当該表示装置の裏面に設けられたスイッチが押下されたことを検出することである、請求項１に記載の表示装置。
【請求項６】
前記調整手段は、焦点調整、台形歪補正および壁色補正の少なくとも１つを行なう、請求項１から請求項５のいずれか１項に記載の表示装置。
【発明の詳細な説明】
【技術分野】
【０００１】
この発明は、表示装置に関し、特に、設置が完了すると自動調整を行なう表示装置に関するものである。
【背景技術】
【０００２】
従来、スクリーン上に画像を拡大して投影する画像表示装置（プロジェクター）が知られている。このプロジェクターは、フロント型とリア型に大別されている。フロント型は、映画のように画像表示装置の前方に設置したスクリーンに向けて画像を投影するタイプで、リア型は画像表示装置本体内に透過式のスクリーンが内蔵されていて、このスクリーンの裏側から画像を投影するタイプである。
【０００３】
そして、近年、フロント型のプロジェクターは、高輝度化が進み、会議などでプレゼンテーション用として必須になっている。また、設置の自由度を高くするため、プロジェクターは、多機能化され、自動焦点調整、自動台形歪補正および自動壁色補正などの自動調整機能が負荷されている。
【０００４】
プロジェクターは、スクリーンに画像を投影する場合、机面に対して若干上方向を向いて設置されるため、そのまま画像をスクリーン上に投影すると、画像が台形に歪んでしまう。
【０００５】
そこで、この台形歪を補正するために台形歪補正が行なわれる。そして、この台形歪補正は、プロジェクターの焦点調整を終了した後に行なわれることが知られている（特許文献１）。
【特許文献１】特開２００３−３４８４９８号公報
【発明の開示】
【発明が解決しようとする課題】
【０００６】
しかし、特許文献１に開示された台形歪補正を行なう方法では、プロジェクターが設置された後、操作者がプロジェクターに設けられたスイッチを押下する必要があり、煩わしいという問題がある。
【０００７】
そこで、この発明は、かかる問題を解決するためになされたものであり、その目的は、煩わしさをなくして自動調整を行なう表示装置を提供することである。
【課題を解決するための手段】
【０００８】
この発明によれば、表示装置は、入力映像信号に基づいて形成された液晶パネル上の画像を液晶パネルへの照射光に基づいてスクリーン上に拡大表示する表示装置であって、設置判定手段と、調整手段とを備える。設置判定手段は、当該表示装置の設置が完了したか否かを判定する。調整手段は、設置判定手段から設置が完了したことを示す設置完了信号を受けると、当該表示装置の自動調整を行なう。
【０００９】
好ましくは、設置判定手段は、スクリーンまでの距離が所定の時間、略一定であることを検出することにより表示装置の設置が完了したと判定する。
【００１０】
好ましくは、設置判定手段は、当該表示装置に印加される加速度が所定の時間、略一定であることを検出することにより表示装置の設置が完了したと判定する。
【００１１】
好ましくは、設置判定手段は、当該表示装置の裏面に設けられたスイッチが押下されたことを検出することにより表示装置の設置が完了したと判定する。
【００１２】
好ましくは、設置判定手段は、第１から第３の条件の少なくとも２つの条件が成立したとき、表示装置の設置が完了したと判定する。第１の条件は、スクリーンまでの距離が所定の時間、略一定であることを検出することである。また、第２の条件は、当該表示装置に印加される加速度が所定の時間、略一定であることを検出することである。さらに、第３の条件は、当該表示装置の裏面に設けられたスイッチが押下されたことを検出することである。
【００１３】
好ましくは、調整手段は、焦点調整、台形歪補正および壁色補正の少なくとも１つを行なう。
【発明の効果】
【００１４】
この発明による表示装置においては、表示装置の設置が完了したと判定されると、自動調整が行なわれる。
【００１５】
したがって、この発明によれば、煩わしさをなくして自動調整できる。
【発明を実施するための最良の形態】
【００１６】
本発明の実施の形態について図面を参照しながら詳細に説明する。なお、図中同一または相当部分には同一符号を付してその説明は繰返さない。
【００１７】
［実施の形態１］
図１は、この発明の実施の形態１による表示装置の概略ブロック図である。図１を参照して、この発明の実施の形態１による表示装置１０は、入力端子１と、ＡＤＣ（Ａｎａｌｏｇ  Ｄｉｇｉｔａｌ  Ｃｏｎｖｅｒｔｅｒ）回路２と、映像信号処理回路３と、ドライバ４と、マイクロコンピュータ（以下、「マイコン」という）５と、液晶パネル／光源部６と、光学系７と、測距センサ８と、ＣＣＤ（Ｃｈａｒｇｅ  Ｃｏｕｐｌｅｄ  Ｄｅｖｉｃｅ）９と、加速度センサ１１とを備える。
【００１８】
入力端子１は、アナログ信号からなる映像信号をビデオおよびパーソナルコンピュータ等から受けるための端子である。ＡＤＣ回路２は、入力端子１から受けた映像信号をアナログ信号からデジタル信号に変換し、その変換した映像信号を映像信号処理回路３へ出力する。
【００１９】
映像信号処理回路３は、マイコン５からの命令によって映像信号の画角を変換し、その変換した映像信号をドライバ４へ出力する。より具体的には、映像信号処理回路３は、マイコン５からの命令によって映像信号の台形歪補正を行ない、その補正を行なった映像信号をドライバ４へ出力する。
【００２０】
ドライバ４は、映像信号処理回路３から受けた映像信号をデジタル信号からアナログ信号に変換するとともに、その変換した映像信号を液晶パネル／光源部６へ出力し、映像信号に基づく画像を液晶パネル／光源部６の液晶パネルに表示する。
【００２１】
また、ドライバ４は、後述する壁色補正が行なわれるとき、マイコン５からの命令により、赤（Ｒ）色の光、緑（Ｇ）の光および青（Ｂ）の光を順次出射するように液晶パネル／光源部６を制御する。
【００２２】
液晶パネル／光源部６は、液晶パネルの背面に存在する光源から出射された照射光により、液晶パネルに表示された画像を投射する。光学系７は、液晶パネル／光源部６からの投射光を変倍してスクリーン（図示せず）上に画像を投射する。
【００２３】
測距センサ８は、光学式パッシブセンサ、超音波センサ、および赤外線センサ等からなる。そして、測距センサ８は、超音波または赤外線がスクリーンとの間で往復時間を計測し、その計測した時間に基づいて、表示装置１０とスクリーンとの間の距離を検出し、その検出した距離をマイコン５へ出力する。
【００２４】
ＣＣＤ９は、表示装置１０からスクリーン上に投射された映像の輝度を検出し、その検出した輝度をマイコン５へ出力する。
【００２５】
加速度センサ１１は、表示装置１０の加速度を検出し、その検出した加速度をマイコン５へ出力する。
【００２６】
マイコン５は、加速度センサ１１からの加速度に基づいて、表示装置１０の傾斜角を検出し、その検出した傾斜角に基づいて台形歪補正を行なうための命令を映像信号処理回路３へ出力する。
【００２７】
また、マイコン５は、赤（Ｒ）、緑（Ｇ）および青（Ｂ）の各色に対する輝度データのプリセット値（出荷時の最適値）の比を保持しており、ＣＣＤ９から輝度を受けると、各色に対する輝度データの比をプリセット値の比と比較し、各色に対して補正するゲイン値を求める。そして、マイコン５は、その求めたゲイン値に基づいて、液晶パネル／光源部６におけるホワイトバランスを調整する。
【００２８】
これにより、映像を壁に投影した場合にも、映像をスクリーン上に投影した場合と同じ色合いになる。このように、マイコン５は、壁色補正を行なう。
【００２９】
さらに、マイコン５は、測距センサ８から受けた距離に基づいて、液晶パネル／光源部６を制御して焦点調整を行なう。
【００３０】
さらに、マイコン５は、測距センサ８から受けた距離が一定時間、略一定であるか否かを判定し、距離が一定時間、略一定であるとき、表示装置１０の設置が完了したと判定する。そして、マイコン５は、表示装置１０の設置が完了したと判定すると、上述した焦点調整、台形歪補正および壁色補正を行なう。
【００３１】
図２は、図１に示す液晶パネル／光源部６の概略図である。図２を参照して、液晶パネル／光源部６は、光源６１と、光分離部６２と、液晶パネル６３〜６５と、光結合部６６とを含む。
【００３２】
光源６１は、点灯すると、白色光を光分離部６２に出射する。光分離部６２は、光源６１からの白色光を赤色の光ＬＴ１、緑色の光ＬＴ２および青色の光ＬＴ３に分離し、その分離した赤色の光ＬＴ１、緑色の光ＬＴ２および青色の光ＬＴ３をそれぞれ液晶パネル６３〜６５へ導く。
【００３３】
液晶パネル６３〜６５の各々は、ドライバ４から映像信号を受け、その受けた映像信号に基づく画像を表面に表示する。そして、液晶パネル６３は、その表示した画像を光分離部６２からの赤色の光ＬＴ１によって投射し、その投射した赤色の投射光を光結合部６６へ導く。また、液晶パネル６４は、表面に表示した画像を光分離部６２からの緑色の光ＬＴ２によって投射し、その投射した緑色の投射光を光結合部６６へ導く。さらに、液晶パネル６５は、表面に表示した画像を光分離部６２からの青色の光ＬＴ３によって投射し、その投射した青色の投射光を光結合部６６へ導く。
【００３４】
光結合部６６は、液晶パネル６３〜６５からそれぞれ赤色の投射光、緑色の投射光および青色の投射光を受け、その受けた赤色の投射光、緑色の投射光および青色の投射光を結合して光学系７へ導く。
【００３５】
図３は、図１に示す加速度センサ１１によって検出される加速度の方向を示す図である。図３を参照して、加速度センサ１１は、Ｙ軸が投射光軸方向になり、Ｚ軸が重力方向になり、Ｘ軸が投射光軸方向および重力方向に垂直な方向になるように設置される。
【００３６】
そして、加速度センサ１１は、Ｘ軸方向、Ｙ軸方向およびＺ軸方向の加速度を検出し、その検出した加速度をマイコン５へ出力する。
【００３７】
焦点調整の動作について説明する。マイコン５は、表示装置１０とスクリーンとの距離を測距センサ８から受けると、その距離に基づいて、スクリーン上に投射された映像のピントが合うように光源６１を光軸方向に移動させて焦点を調整する。
【００３８】
壁色補正の動作について説明する。マイコン５は、液晶パネル６３、液晶パネル６４および液晶パネル６５を順次駆動するようにドライバ４に命令を送信する。そして、ドライバ４は、マイコン５からの命令に応じて、液晶パネル６３のみを駆動する。これにより、液晶パネル／光源部６は、赤色の光のみによってスクリーン上に映像を投射する。そして、ＣＣＤ９は、壁上に表示された映像における赤色の輝度を検出し、その検出した赤色の輝度をマイコン５へ出力する。
【００３９】
次に、ドライバ４は、マイコン５からの命令に応じて、液晶パネル６４のみを駆動する。これにより、液晶パネル／光源部６は、緑色の光のみによって壁上に映像を投射する。そして、ＣＣＤ９は、壁上に表示された映像における緑色の輝度を検出し、その検出した緑色の輝度をマイコン５へ出力する。
【００４０】
最後に、ドライバ４は、マイコン５からの命令に応じて、液晶パネル６５のみを駆動する。これにより、液晶パネル／光源部６は、青色の光のみによって壁上に映像を投射する。そして、ＣＣＤ９は、壁上に表示された映像における青色の輝度を検出し、その検出した青色の輝度をマイコン５へ出力する。
【００４１】
そうすると、マイコン５は、ＣＣＤ９から受けた赤色の輝度、緑色の輝度および青色の輝度に基づいて、各色に対する輝度データの比を演算し、その演算した輝度データの比を予め保持しているプリセット値の比と比較する。そして、マイコン５は、各色に対して補正するゲイン値を求め、その求めたゲイン値に基づいて、壁上の各色がスクリーン上の各色と同じになるように液晶パネル／光源部６のホワイトバランスを調整する。
【００４２】
これにより、壁色補正の動作が終了する。
【００４３】
台形歪補正の動作について説明する。マイコン５は、加速度センサ１１から加速度を受けると、その受けた加速度に基づいて表示装置１０の傾斜角を検出し、その検出した傾斜角に基づいて、台形歪を補正するための画角を演算する。そして、マイコン５は、その演算した画角を映像信号処理回路３へ出力し、台形歪補正を行なうように命令する。
【００４４】
そして、映像信号処理回路３は、マイコン５からの命令に応じて、映像信号の画角を変換し、その変換した映像信号をドライバ４へ出力する。
【００４５】
これにより、台形歪補正の動作が終了する。
【００４６】
図４は、図１に示す表示装置１０における動作を説明するためのフローチャートである。図４を参照して、一連の動作が開始されると、表示装置１０の測距センサ８は、上述した方法により、表示装置１０とスクリーンとの間の距離Ｌを検出し、その検出した距離Ｌをマイコン５へ出力する（ステップＳ１）。
【００４７】
マイコン５は、測距センサ８からの距離Ｌが一定時間、略一定であるか否かを判定する（ステップＳ２）。そして、距離Ｌが一定時間、略一定であるとき、マイコン５は、表示装置１０の設置が完了したと判定し（ステップＳ３）、上述した焦点調整、台形歪補正および壁色補正からなる自動調整を行なう（ステップＳ４）。
【００４８】
これにより、一連の動作は終了する。
【００４９】
このように、表示装置１０においては、スクリーンまでの距離Ｌが検出され、その検出された距離Ｌが一定時間、略一定であるとき、表示装置１０の設置が完了したものと判定されて自動調整が行なわれる。
【００５０】
操作者が表示装置１０を設置しようとしている間は、表示装置１０が任意の場所へ移動されるので、表示装置１０とスクリーンとの間の距離Ｌは、一定にならない。その後、表示装置１０を机等に設置した場合、表示装置１０とスクリーンとの間の距離Ｌは、略一定になる。
【００５１】
そこで、実施の形態１においては、表示装置１０とスクリーンとの間の距離Ｌが一定時間、略一定であるとき、表示装置１０の設置が完了したと判定することにしたものである。
【００５２】
上述したように、実施の形態１においては、表示装置１０は、表示装置１０とスクリーンとの間の距離Ｌを検出する測距センサ８と、その検出された距離Ｌが一定時間、略一定であるとき、表示装置１０の設置が完了したと判定するとともに、焦点調整、台形歪補正および壁色補正からなる自動調整を行なうマイコン５とを備えるので、表示装置１０を机等に設置するだけで自動調整を行なうことができ、煩わしさをなくすことができる。
【００５３】
［実施の形態２］
図５は、実施の形態２による表示装置の概略ブロック図である。図５を参照して、実施の形態２による表示装置１０Ａは、図１に示す表示装置１０のマイコン５をマイコン５Ａに代えたものであり、その他は、表示装置１０と同じである。
【００５４】
マイコン５Ａは、加速度センサ１１からの加速度が一定時間、略一定であるか否かを判定することにより、表示装置１０Ａの設置が完了したか否かを判定する。より具体的には、マイコン５Ａは、加速度が一定時間、略一定であるとき、表示装置１０Ａの設置が完了したと判定する。また、マイコン５Ａは、加速度が一定時間、略一定でないとき、表示装置１０Ａの設置が完了していないと判定する。
【００５５】
マイコン５Ａは、その他、マイコン５と同じ機能を有する。
【００５６】
このように、表示装置１０Ａにおいては、表示装置１０Ａに印加されている加速度が一定時間、略一定であることが検出され、表示装置１０Ａの設置が完了したと判定され、焦点調整、台形歪補正および壁色補正からなる自動調整が行なわれる。
【００５７】
操作者が表示装置１０Ａを設置しようとしている間は、表示装置１０Ａが任意の場所へ移動されるので、表示装置１０Ａに印加される加速度が変化する。その後、表示装置１０Ａを机等に設置した場合、表示装置１０Ａに印加される加速度は、略一定になる。
【００５８】
そこで、実施の形態２においては、表示装置１０Ａに印加される加速度が一定時間、略一定であるとき、表示装置１０Ａの設置が完了したと判定することにしたものである。
【００５９】
表示装置１０Ａにおける動作は、図４に示すフローチャートに従って実行される。この場合、図４に示すステップＳ２は、表示装置１０Ａに印加された加速度が一定時間、略一定であるか否かを判定するステップＳ２Ａに代えられる。
【００６０】
上述したように、実施の形態２においては、表示装置１０Ａは、表示装置１０Ａに印加される加速度を検出する加速度センサ１１と、その検出された距離Ｌが一定時間、略一定であるとき、表示装置１０Ａの設置が完了したと判定するとともに、焦点調整、台形歪補正および壁色補正からなる自動調整を行なうマイコン５Ａとを備えるので、表示装置１０Ａを机等に設置するだけで自動調整を行なうことができ、煩わしさをなくすことができる。
【００６１】
その他は、実施の形態２と同じである。
【００６２】
［実施の形態３］
図６は、実施の形態３による表示装置の概略ブロック図である。図６を参照して、実施の形態３による表示装置１０Ｂは、図１に示す表示装置１０のマイコン５をマイコン５Ｂに代え、スイッチ１２を追加したものであり、その他は、表示装置１０と同じである。
【００６３】
スイッチ１２は、表示装置１０Ｂの裏面に設けられる。図７は、図６に示す表示装置１０Ｂを机等に設置したときのスイッチ１２の状態を示す模式図である。図７を参照して、表示装置１０Ｂが机面２０に設置されていないとき、スイッチ１２は、表示装置１０Ｂの裏面から出ている（図７の（ａ）参照）。
【００６４】
一方、表示装置１０Ｂが机面２０に設置されると、スイッチ１２は、机面２０によって押下され、裏面から出ている部分が少なくなる（図７の（ｂ）参照）。
【００６５】
再び、図６を参照して、スイッチ１２は、表示装置１０Ｂが机等に設置されると上述したように押下され、Ｈ（論理ハイ）レベルの信号を生成してマイコン５Ｂへ出力し、表示装置１０Ｂが机等に設置されていないとき上述したように押下されず、Ｌ（論理ロー）レベルの信号を生成してマイコン５Ｂへ出力する。
【００６６】
マイコン５Ｂは、スイッチ１２からＨレベルの信号を受けたとき、表示装置１０Ｂの設置が完了したと判定し、スイッチ１２からＬレベルの信号を受けたとき、表示装置１０Ｂの設置が完了していないと判定する。
【００６７】
そして、マイコン５Ｂは、表示装置１０Ｂの設置が完了したと判定したとき、焦点調整、台形歪補正および壁色補正からなる自動調整を行なう。
【００６８】
マイコン５Ｂは、その他、マイコン５と同じ機能を有する。
【００６９】
このように、表示装置１０Ｂにおいては、表示装置１０Ｂの裏面に設けられたスイッチ１２が押下されたことが検出されると、表示装置１０Ｂの設置が完了したと判定され、焦点調整、台形歪補正および壁色補正からなる自動調整が行なわれる。
【００７０】
操作者が表示装置１０Ｂを設置しようとしている間は、表示装置１０Ｂが任意の場所へ移動されるので、表示装置１０Ｂの裏面に設けられたスイッチ１２が押下されることはない。したがって、スイッチ１２は、Ｌレベルの信号をマイコン５Ｂへ出力する。その後、表示装置１０Ｂを机等に設置した場合、表示装置１０Ｂの裏面に設けられたスイッチ１２は、押下され、Ｈレベルの信号をマイコン５Ｂへ出力する。
【００７１】
そこで、実施の形態３においては、表示装置１０Ｂの裏面に設けられたスイッチ１２が押下され、マイコン５ＢがＨレベルの信号をスイッチ１２から受けたとき、表示装置１０Ｂの設置が完了したと判定することにしたものである。
【００７２】
表示装置１０Ｂにおける動作は、図４に示すフローチャートに従って実行される。この場合、図４に示すステップＳ２は、表示装置１０Ｂの裏面に設けられたスイッチ１２が押下され、マイコン５ＢがＨレベルの信号をスイッチ１２から受けたか否かを判定するステップＳ２Ｂに代えられる。
【００７３】
上述したように、実施の形態３においては、表示装置１０Ｂは、表示装置１０Ｂの裏面に設けられ、押下されるとＨレベルの信号を出力するスイッチ１２と、スイッチ１２からＨレベルの信号を受けたとき、表示装置１０Ｂの設置が完了したと判定するとともに、焦点調整、台形歪補正および壁色補正からなる自動調整を行なうマイコン５Ｂとを備えるので、表示装置１０Ｂを机等に設置するだけで自動調整を行なうことができ、煩わしさをなくすことができる。
【００７４】
その他は、実施の形態１と同じである。
【００７５】
［実施の形態４］
図８は、実施の形態４による表示装置の概略ブロック図である。図８を参照して、実施の形態４による表示装置１０Ｃは、図６に示す表示装置１０Ｂのマイコン５Ｂをマイコン５Ｃに代えたものであり、その他は、表示装置１０Ｂと同じである。
【００７６】
この実施の形態４においては、マイコン５Ｃが、次の３つの条件のうち、少なくとも２つの条件が成立したときに表示装置１０Ｃの設置が完了したと判定し、焦点調整、台形歪補正および壁色補正からなる自動調整を行なう。
【００７７】
３つの条件は、次のとおりである。
【００７８】
（Ａ）測距センサ８からの距離Ｌが一定時間、略一定であること
（Ｂ）加速度センサ１１からの加速度が一定時間、略一定であること
（Ｃ）スイッチ１２が押下され、スイッチ１２からＨレベルの信号を受けたこと
マイコン５Ｃは、３つの条件（Ａ），（Ｂ），（Ｃ）のうち、少なくとも２つの条件が成立したときに表示装置１０Ｃの設置が完了したと判定し、焦点調整、台形歪補正および壁色補正からなる自動調整を行なう。
【００７９】
このように、表示装置１０Ｃにおいては、上記の３つの条件（Ａ），（Ｂ），（Ｃ）のうち、少なくとも２つの条件が成立したことが検出されると、表示装置１０Ｃの設置が完了したと判定され、焦点調整、台形歪補正および壁色補正からなる自動調整が行なわれる。
【００８０】
上記の３つの条件（Ａ），（Ｂ），（Ｃ）のうち、少なくとも２つの条件が成立したときに表示装置１０Ｃの設置が完了したと判定することにしたのは、誤判定を防止するためである。
【００８１】
すなわち、上記の条件（Ａ）のみが成立したときに表示装置１０Ｃの設置が完了したと判定する場合、表示装置１０Ｃとスクリーンとの距離Ｌが一定のまま表示装置１０Ｃが操作者によって移動される場合があるからであり、上記の条件（Ｂ）のみが成立したときに表示装置１０Ｃの設置が完了したと判定する場合、表示装置１０Ｃに印加された加速度が一定のまま表示装置１０Ｃが操作者によって移動される場合があるからであり、上記の条件（Ｃ）のみが成立したときに表示装置１０Ｃの設置が完了したと判定する場合、表示装置１０Ｃの裏面に設けられたスイッチ１２が押下されたまま表示装置１０Ｃが操作者によって移動される場合があるからである。
【００８２】
したがって、３つの条件（Ａ），（Ｂ），（Ｃ）のうち、少なくとも２つの条件が成立したときに表示装置１０Ｃの設置が完了したと判定することにより、表示装置１０Ｃの設置が完了したことをより正確に判定できる。
【００８３】
マイコン５Ｃは、その他、マイコン５と同じ機能を有する。
【００８４】
表示装置１０Ｃにおける動作は、図４に示すフローチャートに従って実行される。この場合、図４に示すステップＳ２は、上記の３つの条件（Ａ），（Ｂ），（Ｃ）のうち、少なくとも２つの条件が成立したか否かを判定するステップＳ２Ｃに代えられる。
【００８５】
上述したように、実施の形態４においては、表示装置１０Ｃは、表示装置１０Ｃとスクリーンとの間の距離Ｌを検出する測距センサ８と、表示装置１０Ｃに印加された加速度を検出する加速度センサ１１と、表示装置１０Ｃの裏面に設けられ、押下されるとＨレベルの信号を出力するスイッチ１２と、上記の３つの条件（Ａ），（Ｂ），（Ｃ）のうち、少なくとも２つの条件が成立したとき、表示装置１０Ｃの設置が完了したと判定するとともに、焦点調整、台形歪補正および壁色補正からなる自動調整を行なうマイコン５Ｃとを備えるので、表示装置１０Ｃを机等に設置するだけで自動調整を行なうことができ、煩わしさをなくすことができる。
【００８６】
また、表示装置１０Ｃは、上述した３つの条件（Ａ），（Ｂ），（Ｃ）のうち、少なくとも２つの条件が成立するときに表示装置１０Ｃの設置が完了したと判定するマイコン５Ｃを備えるので、誤判定を防止して自動調整を行なうことができる。
【００８７】
その他は、実施の形態１と同じである。
【００８８】
なお、上述した実施の形態１〜実施の形態４においては、表示装置１０，１０Ａ，１０Ｂ，１０Ｃの設置が完了したと判定されたとき、焦点調整、台形歪補正および壁色補正からなる自動調整が行なわれると説明したが、この発明においては、焦点調整、台形歪補正および壁色補正のうち、少なくとも１つを自動調整として実行するようにしてもよい。
【００８９】
また、焦点調整、台形歪補正および壁色補正からなる自動調整が行なわれるとき、焦点調整を最初に実行し、その後、台形歪補正および壁色補正を実行するようにしてもよい。焦点が合っていない状態では、台形歪補正および壁色補正を正確に行なうことが困難であるからである。
【００９０】
この発明においては、測距センサ８からの距離Ｌが一定時間、略一定であるか否かを判定し、表示装置１０の設置が完了したか否かを判定するマイコン５は、「設置判定手段」を構成する。
【００９１】
また、加速度センサ１１からの加速度が一定時間、略一定であるか否かを判定し、表示装置１０Ａの設置が完了したか否かを判定するマイコン５Ａは、「設置判定手段」を構成する。
【００９２】
さらに、スイッチ１２からＨレベルの信号を受けたか否かを判定し、表示装置１０Ｂの設置が完了したか否かを判定するマイコン５Ｂは、「設置判定手段」を構成する。
【００９３】
さらに、（ｉ）測距センサ８からの距離Ｌが一定時間、略一定であるか否かを判定すること、（ｉｉ）加速度センサ１１からの加速度が一定時間、略一定であるか否かを判定すること、（ｉｉｉ）スイッチ１２からＨレベルの信号を受けたか否かを判定することのうち、少なくとも２つを実行して表示装置１０Ｃの設置が完了したか否かを判定するマイコン５Ｃは、「設置判定手段」を構成する。
【００９４】
焦点調整を行なうマイコン５，５Ａ，５Ｂ，５Ｃおよび液晶パネル／光源部６は、「調整手段」を構成する。
【００９５】
台形歪補正を行なう映像信号処理回路３およびマイコン５，５Ａ，５Ｂ，５Ｃは、「調整手段」を構成する。
【００９６】
壁色補正を行なうドライバ４、マイコン５，５Ａ，５Ｂ，５Ｃおよび液晶パネル／光源部６は、「調整手段」を構成する。
【００９７】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【００９８】
この発明は、煩わしさをなくして自動調整を行なう表示装置に適用される。
【図面の簡単な説明】
【００９９】
【図１】この発明の実施の形態１による表示装置の概略ブロック図である。
【図２】図１に示す液晶パネル／光源部の概略図である。
【図３】図１に示す加速度センサによって検出される加速度の方向を示す図である。
【図４】図１に示す表示装置における動作を説明するためのフローチャートである。
【図５】実施の形態２による表示装置の概略ブロック図である。
【図６】実施の形態３による表示装置の概略ブロック図である。
【図７】図６に示す表示装置を机等に設置したときのスイッチの状態を示す模式図である。
【図８】実施の形態４による表示装置の概略ブロック図である。
【符号の説明】
【０１００】
１  入力端子、２  ＡＤＣ回路、３  映像信号処理回路、４  ドライバ、５，５Ａ，５Ｂ，５Ｃ  マイコン、６  液晶パネル／光源部、７  光学系、８  測距センサ、９  ＣＣＤ、１０，１０Ａ，１０Ｂ，１０Ｃ  表示装置、１１  加速度センサ、１２  スイッチ、２０  机面、６１  光源、６２  光分離部、６３〜６５  液晶パネル、６６  光結合部。
【図１】
2006287294.tif 000003
【図２】
2006287294.tif 000004
【図３】
2006287294.tif 000005
【図４】
2006287294.tif 000006
【図５】
2006287294.tif 000007
【図６】
2006287294.tif 000008
【図７】
2006287294.tif 000009
【図８】
2006287294.tif 000010